(57)【要約】【課題】  無端ネットの弛緩と緊張の切り替えをハンドルによる一操作で容易にしかも調整不要に行うことができ、無端ネットの脱着を熟練を要することなく簡単に行うことができるネットコンベアを提供する。【解決手段】  従動側スプロケットホイール１４の軸受１６を、コンベアチェーン１３の張架方向に前後移動可能にコンベアフレーム１２に装着するとともに、ハンドル２５を回動させることによりクランク機構２７にて連接ロッド２３が前後摺動する緊張弛緩切替具２０をコンベアフレーム１２に取り付けて、その連接ロッド２３を軸受１６に連結し、ハンドル２５を回動させて連接ロッド２３と共に軸受１６を前後に移動させることにより、無端ネット１１の緊張と弛緩を切り替えることができるようにしたことを特徴とする。【選択図】  図７
2006151663.tif 000002
【特許請求の範囲】
【請求項１】
無端ネットをコンベアチェーン又はコンベアベルトにて駆動側回転体と従動側回転体との間に張架し、コンベアチェーン又はコンベアベルトと共に循環させるネットコンベアにおいて、前記従動側回転体の軸受を、前記コンベアチェーン又はコンベアベルトの張架方向に前後移動可能にコンベアフレームに装着するとともに、ハンドルを回動させることによりクランク機構にて連接ロッドが前後摺動する緊張弛緩切替具を前記コンベアフレームに取り付けて、その連接ロッドを前記軸受に連結し、ハンドルを回動させて連接ロッドと共に前記軸受を前後に移動させることにより、前記無端ネットの緊張と弛緩を切り替えることができるようにしたことを特徴とするネットコンベア。
【請求項２】
緊張弛緩切替具は、基板上に固定された案内筒に連接ロッドを摺動自在に貫通させるとともに、ハンドルを基板上に回動自在に枢支し、このハンドルと連接ロッドとをクランクリンクにより連結したものであることを特徴とする請求項１に記載のネットコンベア。
【請求項３】
無端ネット上を搬送される除水対象物にエアーノズルからエアー噴射して除水する除水機に用いられる除水機用ネットコンベアであることを特徴とする請求項１又は２に記載のネットコンベア。
【発明の詳細な説明】
【技術分野】
【０００１】
本発明は、無端ネットをコンベアチェーン又はコンベアベルトにて駆動側回転体と従動側回転体との間に張架し、コンベアチェーン又はコンベアベルトと共に循環させるネットコンベアに関する。
【背景技術】
【０００２】
特許文献１（特開平１０−２５０８１６号公報）には、このようなネットコンベアであって、コンベアチェーンを駆動させる駆動用スプロケット及びこれを回転させる駆動モータを、ネジによる推進により一体的に昇降させることで、無端ネットの張力（テンション）を調整できるようにした構造が開示されている。
【０００３】
ところで、本出願人は、例えば特許文献２（特許第２９４９６６２号公報）に記載されているように、ネットコンベアを用いた除水機を提供し、製造・販売している。
【０００４】
図１〜図６に、本出願人の提供による除水機の一例を示す。この除水機は、本体ハウジングＡ内の上部に、下部エアー噴射ユニットＢとネットコンベアＣとを設置するとともに、このネットコンベアＣの上側において上部ユニットカバーＤを本体ハウジングＡ上に上下に開閉自在に装着し、さらに上部ユニットカバーＤを上側から覆う防音カバーＥを、本体ハウジングＡ上に上下に開閉自在に装着している。
【０００５】
下部エアー噴射ユニットＢは、偏平矩形の下部エアーボックス１の上面に、多数のスピンノズル２を上向きにして個々に旋回自在に装着したもので、ネットコンベアＣの上部Ｃａと下部Ｃｂとの間において本体ハウジングＡ内の上部に抜き差し自在に設置されている。
【０００６】
上部ユニットカバーＤは、ネットコンベアＣに対向する下面が開口した箱形で、蝶番４により本体ハウジングＡの上面後部に開閉自在に蝶着されている。図６に示すように、この上部ユニットカバーＤ内において、その天井部に垂設した複数本のガイドロッド３により昇降板５が昇降可能に装架されている。この昇降板５は、上部ユニットカバーＤの天井外部に設けた高さ調整ハンドル５ａにて高さ調整可能になっている。この昇降板５の下側には、偏平矩形の上部エアーボックス６の下面に多数のスピンノズル７を下向きにして個々に旋回自在に装着した上部エアー噴射ユニットＦが着脱自在に装着され、さらにこの上部エアー噴射ユニットＦに側部エアー噴射ユニットＧが垂設されている。側部エアー噴射ユニットＧは、スピンノズル８を横向きにして旋回自在に装着した複数の有底筒体９を、コンベアＣの搬送方向に互いに離し、しかも上部エアーボックス６と内部を連通させてその下面に垂設したものである。
【０００７】
下部エアーボックス１及び上部エアーボックス６には、図３に示すように、本体ハウジングＡ内に設置されたそれぞれに対応する２台のブロア１０からエアーが供給され、下部エアー噴射ユニットＢの多数のスピンノズル２は、コンベアＣ上を搬送されて上部ユニットカバーＤ内に入った除水対象物５０に旋回しながら下方から上向きにエアーを噴射し、上部エアー噴射ユニットＦの多数のスピンノズル７は、コンベアＣ上を搬送される除水対象物５０に旋回しながら上方から下向きにエアーを噴射し、側部エアー噴射ユニットＧの複数のスピンノズル８は、コンベアＣ上を搬送される除水対象物５０に旋回しながら横からエアーを噴射する。
【０００８】
このような除水機では、除水対象物から水と共に除去された付着物が、ネットコンベアＣの無端ネット１１の網目に付着すると、衛生上好ましくないため、特に高品位の衛生管理を要求される除水対象物（食品など）の場合には、無端ネットを取り外して洗浄液中や殺菌液中に浸漬して洗浄や除菌することが行われ、その作業を一日に数回行う場合もある。
【０００９】
ところが、従来の除水機では、ネットコンベアＣの従動側回転体（コンベアチェーンを用いた場合には従動側スプロケットホイール、コンベアベルトを用いた場合には従動側プーリ）の軸受を固定している取付ボルトを外すか緩め、又はテンション付与のためのテンション用スプロケットホイール又はテンション用プーリを別に設けている場合にはその軸止めを緩め、無端ネットを弛緩させてこれを取り外さなければなければならず、また洗浄後は無端ネットを再び張架し、調整して元の緊張状態に戻さなければならないので、その作業が非常に面倒で熟練を要し、限られた作業者しか行うことができなかった。
【００１０】
上記の特許文献１に記載のものでは、ネジによりテンションを調整できるが、駆動用スプロケットとこれを回転させる駆動モータとを一体的に移動させるため、構造が複雑で、しかも無端ネットの脱着が難しいという問題がある。
【特許文献１】特開平１０−２５０８１６号公報
【特許文献２】特許第２９４９６６２号公報
【発明の開示】
【発明が解決しようとする課題】
【００１１】
そこで、本発明の課題は、無端ネットの弛緩と緊張の切り替えをハンドルによる一操作で容易にしかも調整不要に行うことができ、無端ネットの脱着を熟練を要することなく簡単に行うことができるネットコンベアを提供することにある。
【課題を解決するための手段】
【００１２】
本発明は、無端ネットをコンベアチェーン又はコンベアベルトにて駆動側回転体と従動側回転体との間に張架し、コンベアチェーン又はコンベアベルトと共に循環させるネットコンベアにおいて、従動側回転体の軸受を、コンベアチェーン又はコンベアベルトの張架方向に前後移動可能にコンベアフレームに装着するとともに、ハンドルを回動させることによりクランク機構にて連接ロッドが前後摺動する緊張弛緩切替具をコンベアフレームに取り付けて、その連接ロッドを軸受に連結し、ハンドルを回動させて連接ロッドと共に軸受を前後に移動させることにより、無端ネットの緊張と弛緩を切り替えることができるようにしたことを特徴とする。
【００１３】
緊張弛緩切替具は、基板上に固定された案内筒に連接ロッドを摺動自在に貫通させるとともに、ハンドルを基板上に回動自在に枢支し、このハンドルと連接ロッドとをクランクリンクにより連結したものでよい。
【００１４】
このネットコンベアは、上記のような除水機用のネットコンベアに用いるのに好適である。
【発明の効果】
【００１５】
本発明のネットコンベアによれば、従動側回転体の軸受を移動可能にしておいて、この軸受と緊張弛緩切替具のハンドルとを連接ロッドを介して連結し、ハンドルを回動させてその連接ロッドと共に軸受を前後に移動させることにより、無端ネットの緊張と弛緩を切り替えることができるので、無端ネットの緊張と弛緩の切り替えをハンドルによる一操作で容易にしかも調整不要に行うことができ、無端ネットの脱着を熟練を要することなく簡単に行うことができる。
【００１６】
請求項２で特定したような緊張弛緩切替具を用いれば、その基板をコンベアフレームに取り付けて、連接ロッドを軸受と連結するだけで、上記のような作用・効果を奏するネットコンベアに構成することができる。
【発明を実施するための最良の形態】
【００１７】
次に、本発明の実施例を図面に基づいて詳細に説明する。
【実施例】
【００１８】
図７及び図８に、除水機に用いる本実施例のネットコンベアの要部、図９〜図１１にこのネットコンベアで用いる緊張弛緩切替具を示す。
【００１９】
図７及び図８において、ネットコンベアＣの全体は、図１〜図６に示したような除水機におけるコンベアフレーム１２に装着され、無端ネット１１の両側縁のコンベアチェーン１３は、従動側スプロケットホイール１４と図示しない駆動側スプロケットホイールとの間に掛け回して張架され、駆動側スプロケットホイールが図示しないモータにより回転されることにより、無端ネット１１がコンベアチェーン１３と共に循環されるようになっている。
【００２０】
従動側スプロケットホイール１４の軸１５を軸受けしている軸受１６は、その軸受基板１７によりコンベアフレーム１２の側面に次のように前後移動可能に装着されている。
すなわち、軸受基板１７は矩形で、その対角位置の２箇所にやや横長の案内孔１８が設けられ、これら案内孔１８を通じて案内ボルト１９がコンベアフレーム１２にねじ込み固定されている。これにより、軸受１６は、軸受基板１７と共にコンベアフレーム１２の側面に沿って案内孔１８の長さ範囲内で、コンベアチェーン１３の張架方向に前後移動可能となっている。
【００２１】
その前後移動をハンドル操作で行うため、コンベアフレーム１２の側面に次のような緊張弛緩切替具２０が取り付けられている。
【００２２】
緊張弛緩切替具２０は、図９〜図１１に示すように、基板２１上の一方側に短い案内筒２２を固着してこれに連接ロッド２３を前後摺動自在に貫通させ、また基板２１上の他方側に突出形成した軸受突部２４に、ハンドル２５の二股部２５ａを軸ピン２６にて回動自在に枢支し、これら連接ロッド２３とハンドル２５の二股部２５ａとをクランクリンク２７にて連結して、図９から図１１に示すようなハンドル２４の回動を、連接ロッド２３の前後の直線往復摺動に変換できるようにしたものである。連接ロッド２３の先端面にはねじ穴２３ａが設けられている。
【００２３】
このような緊張弛緩切替具２０の連接ロッド２３と軸受基板１７とは、後者の一端のブラケット１７ａから突設した連結ボルト２８を、前者のねじ穴２３ａにねじ込んでナット２９で緊締することにより連結されている。
【００２４】
従って、緊張弛緩切替具２０のハンドル２５を、図７において実線で示すように後側（同図において右側）へ回動させたときは（図９に示すように後側へ倒したとき）、連接ロッド２３により軸受基板１７が軸受１６と共に後側（図７において右側）へ押動されるため、無端ネット１１がコンベアチェーン１３と共に緊張する。
【００２５】
一方、図７において破線で示すように前側（同図において左側）へ回動させたときは（図１１に示すように前側へ倒したとき）、連接ロッド２３により軸受基板１７が軸受１６と共に前側（図７において左側）へ引き寄せられるため、無端ネット１１がコンベアチェーン１３と共に弛緩する。
【００２６】
このようにハンドル２５の倒す方向を切り替えることにより、無端ネット１１及びコンベアチェーン１３の緊張と弛緩を容易に切り替えることができる。
【００２７】
なお、上記の実施例では、無端ネット１１をコンベアチェーン１３を用いて従動側スプロケットホイール１４と駆動側スプロケットホイールとの間に張架したが、コンベアベルトを用いて従動側プーリと駆動側プーリとの間に張架した場合にも、上記と同様の機構で対応できる。
【図面の簡単な説明】
【００２８】
【図１】除水機の一例の全体斜視図で、防音カバーを開いた状態である。
【図２】防音カバーを開いた状態の同上の斜視図である。
【図３】同除水機の正面図である。
【図４】同除水機の平面図である。
【図５】同除水機の側面図である。
【図６】同除水機の一部の断面図である。
【図７】本発明によるネットコンベアの要部の平面図である。
【図８】その側面図である。
【図９】同ネットコンベアで使用されている緊張弛緩切替具の斜視図で、ハンドルを後側に倒した状態である。
【図１０】同じくハンドルを図９の状態から途中まで前側へ倒した状態の斜視図である。
【図１１】同じくハンドルを最大限に前側へ倒した状態の斜視図である。
【符号の説明】
【００２９】
Ｃ  ネットコンベア
１１  無端ネット
１２  コンベアフレーム
１３  コンベアチェーン
１４  従動側スプロケットホイール
１５  軸
１６  軸受
１７  軸受基板
１７ａ  ブラケット
１８  案内孔
１９  案内ボルト
２０  緊張弛緩切替具
２１  基板
２２  案内筒
２３  連接ロッド
２３ａ  ねじ穴
２４  軸受突部
２５  ハンドル
２５ａ  二股部
２６  軸ピン
２７  クランクリンク
２８  連結ボルト
２９  ナット
【図１】
2006151663.tif 000003
【図２】
2006151663.tif 000004
【図３】
2006151663.tif 000005
【図４】
2006151663.tif 000006
【図５】
2006151663.tif 000007
【図６】
2006151663.tif 000008
【図７】
2006151663.tif 000009
【図８】
2006151663.tif 000010
【図９】
2006151663.tif 000011
【図１０】
2006151663.tif 000012
【図１１】
2006151663.tif 000013